(57)【要約】【課題】  複数の被制御機器の動作モードを許容者個人の好みに合わせて自動的に設定できるようにした遠隔制御システムを提供する。【解決手段】  所定の周期で機種識別信号Ｓｍを送信している被制御機器１０に遠隔操作手段１を所持した許容者が近づくと、遠隔操作手段１は機種識別信号Ｓｍを受信し、登録済みの機種識別信号Ｓｍである場合にはユーザ識別信号Ｓｕを被制御機器１０に送信する。前記ユーザ識別信号Ｓｕが被制御機器１０で登録済みの場合には認証完了通知信号Ｓａを送信することにより、遠隔操作手段１と被制御機器１０との間の通信が確保される。通信が確保され、遠隔操作手段１がモード設定信号Ｓ１，Ｓ２を送信することにより、被制御機器１０が前記モード設定信号Ｓ１，Ｓ２に応じたモード処理を行う。その結果、被制御機器１０の動作モードが許容者個人の好みに合わせて自動的に設定される。【選択図】図２
2005184388.tif 000002
【特許請求の範囲】
【請求項１】
複数の遠隔操作手段と複数の被制御機器との間で無線通信を介して行われる遠隔制御システムにおいて、
個々の被制御機器は、機種を特定する機種識別信号を所定の周期で前記遠隔操作手段に向けて送信しており、前記遠隔操作手段は受信した前記機種識別信号から被制御機器の機種を識別するとともに、前記被制御機器に応じたモード設定信号を送信するものであり、前記被制御機器は受信した前記モード設定信号により所定の動作モードに設定されることを特徴とする遠隔制御システム。
【請求項２】
前記遠隔操作手段が、少なくとも前記被制御機器との間で無線通信を行う送受信部と、前記被制御機器ごとのモード設定コードとユーザ識別コードとが記憶された記憶部と、前記送受信部と前記記憶部とを制御する制御部と、を有し、
前記被制御機器が、少なくとも前記遠隔操作手段との間で無線通信を行う送受信部と、前記機種識別コードが記憶された記憶部と、前記被制御機器を前記遠隔操作手段から送信されたモード設定信号に応じた動作を設定する制御部と、を有する請求項１記載の遠隔制御システム。
【請求項３】
前記モード設定信号の送信は、時間をずらして複数回行われる請求項１記載の遠隔制御システム。
【請求項４】
前記遠隔操作機器は表示部を有し、前記被制御機器はセンサ部を有しており、
前記モード設定信号が前記遠隔操作手段からの送信要求信号である場合には、前記センサ部がデータを取得するとともに、前記データが被制御機器から前記遠隔操作手段に送信されて前記表示部に表示される請求項１ないし３のいずれか記載の遠隔制御システム。
【請求項５】
前記被制御機器がタイマーを有しており、予め設定されている時刻に至ると、前記被制御機器は予め登録したタイマー受信登録の許容者の遠隔操作手段との間でのみ通信が確保される請求項１ないし４のいずれか記載の遠隔制御システム。
【請求項６】
前記被制御機器が電界強度測定部を有しており、前記遠隔操作手段から送信された機種識別信号の電界強度が所定の電界レベル以上である場合に限り前記被制御機器の動作が許容される請求項１ないし５のいずれか記載の遠隔制御システム。
【請求項７】
前記被制御機器が、複数の遠隔操作手段から送信される個々のモード設定信号に対応して、個別に動作モードが設定される請求項１ないし６のいずれか記載の遠隔制御システム。
【請求項８】
前記遠隔操作手段には、前記前記モード設定信号の内容を変更することが可能なモード切換部が設けられている請求項１ないし７のいずれか記載の遠隔制御システム。
【発明の詳細な説明】
【技術分野】
【０００１】
本発明は、例えば、エアコン、テレビ、共用コンピュータなど共用の場所に置けられた複数の被制御機器を複数の許容者が共同使用する場合の遠隔制御システムに係わり、特に複数の被制御機器の動作モードを許容者個人の好みに合わせて自動的に設定できるようにした遠隔制御システムに関する。
【背景技術】
【０００２】
本願発明に関する従来の技術としては、例えば以下の特許文献１ないし３などが存在する。
【０００３】
特許文献1にはカードシステムに関する技術が開示されており、主として識別コード（ユーザＩＤ）が記録されたＩＣカード（操作部）と前記ＩＣカードの内容を読み込むカードリーダとから構成され、ＩＣカードを携帯した許容者（職員）が自己のＩＣカードをカードリーダに装着すると、その許容者と居場所等を特定し、例えばパソコン、デスクライトあるいは空調設備などの被制御機器の自動起動や自動停止などを行うというものである。
【０００４】
また特許文献２には車両のリモートコントロール装置に関する技術が開示されており、送信機を有するイグニッションキー（操作部）から送信された識別コード（ＩＤコード）を車内に受信機を有する自動車側が受信することにより、例えば被制御機器であるドアの開錠と施錠やミラーの向きの設定、あるいはハンドル位置の移動などを行うというものである。
【０００５】
さらに特許文献３にはセキュリテイシステムに関する技術が開示されており、主として無線タグを備えた名札（操作部）とセキュリティ端末とで構成され、セキュリティ端末から送信される照合要求信号を名札側が受信すると、前記無線タグから許容者本人の識別コード（識別データ）を送信することにより、被制御機器の特別機能の起動の許容又は拒絶を行うというものである。
【特許文献１】特開２０００−１１０４５号公報
【特許文献２】特開平６−３２０９９０号公報
【特許文献３】特開平９−２４５１３８号公報
【発明の開示】
【発明が解決しようとする課題】
【０００６】
しかし、上記特許文献１ないし３に開示されたものでは、いずれの場合も許容者の特定が操作部側に記録されている識別コードだけで行われるものであり、制御対象や制御内容などの制御データは被制御機器側に設けられたメモリ手段に記憶されており、複数の許容者の中からある個人を特定した後に前記メモリ手段にアクセスし、前記個人に応じた制御データを呼び出して被制御機器を各種の動作モードに設定する構成であるため、以下に示すような問題がある。
【０００７】
（１）制御データの内容は前記メモリ手段において管理されているため、許容者自身に関する制御データの内容を容易に変更することができない。特に、ごく簡単な制御データの変更についても必ずシステム管理者を通さねばならず、変更が複雑であり時間を要する。
【０００８】
（２）許容者の人数や被制御機器の数が増えると、それに応じて記憶する制御データの容量も増大するため、前記システムを利用することが可能な人数や被制御機器の数が前記メモリ手段の記憶容量によって制限される。
【０００９】
（３）許容者または被制御機器の数に増減があった場合などにおいては、その度ごとに前記システム管理者が前記メモリ手段の記憶内容を変更しなければならず、システム管理者の負担が過大となりやすい。
【００１０】
（４）被制御機器から操作部側に向けてのアンサーバックがないので、被制御機器側に故障が生じても、許容者がその故障を把握することができない。
【００１１】
本発明は上記従来の課題を解決するためのものであり、複数の被制御機器の動作モードを許容者個人の好みに合わせて自動的に設定できるようにした遠隔制御システムを提供することを目的としている。
【００１２】
また本発明は許容者の人数や被制御機器の数が増加した場合でも、システムを利用可能な人数や被制御機器の数に制限が生じることの少ない遠隔制御システムを提供することを目的としている。
【００１３】
さらに本発明は、システムの安全性を害することなく許容者が自己の制御データを容易に変更できるようにした遠隔制御システムを提供することを目的としている。
【課題を解決するための手段】
【００１４】
本発明は、複数の遠隔操作手段と複数の被制御機器との間で無線通信を介して行われる遠隔制御システムにおいて、
個々の被制御機器は、機種を特定する機種識別信号を所定の周期で前記遠隔操作手段に向けて送信しており、前記遠隔操作手段は受信した前記機種識別信号から被制御機器の機種を識別するとともに、前記被制御機器に応じたモード設定信号を送信するものであり、前記被制御機器は受信した前記モード設定信号により所定の動作モードに設定されることを特徴としている。
【００１５】
本発明の遠隔制御システムでは、受信した機種識別信号から被制御機器の機種を識別した後に被制御機器に応じたモード設定信号を送信する構成としたことから、周囲に存在する被制御機器の種類に合う適正なモード設定信号を送信することができる。すなわち、遠隔操作手段が有するすべての機器に対するモード設定信号を送信する必要がない。よって、被制御機器を即座に適正な動作モードに設定することができる。
【００１６】
上記遠隔制御システムは、前記遠隔操作手段が、少なくとも前記被制御機器との間で無線通信を行う送受信部と、前記被制御機器ごとのモード設定コードとユーザ識別コードとが記憶された記憶部と、前記送受信部と前記記憶部とを制御する制御部と、を有し、
前記被制御機器が、少なくとも前記遠隔操作手段との間で無線通信を行う送受信部と、前記機種識別コードが記憶された記憶部と、前記被制御機器を前記遠隔操作手段から送信されたモード設定信号に応じた動作を設定する制御部と、を有するものとして構成できる。
【００１７】
上記手段では、遠隔操作手段が被制御機器ごとのモード設定コードを管理記憶しているため、本システムにおける許容者の人数が増えても、被制御機器側が記憶するデータの容量が増大することがない。よって、前記システムを利用することが可能な人数が前記記憶部の記憶容量によって制限されることがなく、遠隔操作手段の数を増やすことにより何人でも対応することが可能である。
また前記モード設定信号の送信は、時間をずらして複数回行われるものが好ましい。
【００１８】
上記手段では、動作開始までにウォームアップが必要な被制御機器の制御も可能である。すなわち、ウォームアップを持ってモード設定信号を送信することにより、被制御機器を適正な動作モードに設定できる。
【００１９】
またコンピュータのセキュリティを自動的に解除した後にメールソフトを立ち上げるといった動作モードの設定も可能となる。
【００２０】
前記遠隔操作機器は表示部を有し、前記被制御機器はセンサ部を有しており、
前記モード設定信号が前記遠隔操作手段からの送信要求信号である場合には、前記センサ部がデータを取得するとともに、前記データが被制御機器から前記遠隔操作手段に送信されて前記表示部に表示されるようにすることもできる。
【００２１】
上記手段では、必要は情報が自動的に遠隔操作機器の表示部に表示されるようになつので、被制御機器を見る必要がない。例えば、コンピュータに届いたメールを見たり、エアコン機器の温度センサを用いて現在の温度を調べたりすることが可能となる。
【００２２】
また前記被制御機器がタイマーを有しており、予め設定されている時刻に至ると、前記被制御機器は予め登録したタイマー受信登録の許容者の遠隔操作手段との間でのみ通信が確保されるものが好ましい。
【００２３】
さらに、前記被制御機器が電界強度測定部を有しており、前記遠隔操作手段から送信された機種識別信号の電界強度が所定の電界レベル以上である場合に限り前記被制御機器の動作が許容されるものが好ましい。
【００２４】
上記手段では、被制御機器は許容者が近くにいるのか、または遠くにいるのかを把握することができる、よって、例えば許容者が近くにいない場合には被制御機器の操作を拒否するセキュリティを設定し、近くにいるときに限り被制御機器の操作を許容（セキュリティの解除）することが可能となり、許容者以外の者に被制御機器が操作されるのを防止することができる。もちろんその逆の設定も可能である。
【００２５】
また前記被制御機器が、複数の遠隔操作手段から送信される個々のモード設定信号に対応して、個別に動作モードが設定されるものが好ましい。
【００２６】
上記手段では、１台の被制御機器を複数の許容者で共有することが可能となる。例えば、共有コンピュータを各許容者の好みに合う動作モードに自動的に設定することが可能となる。
【００２７】
さらには、前記遠隔操作手段には、前記前記モード設定信号の内容を変更することが可能なモード切換部が設けられているものが好ましい。
【００２８】
上記手段では、セキュリティ管理の低い被制御機器についてはシステム管理者を通さなくとも、ごく簡単なモード設定については容易に変更することができる。
【００２９】
特に、許容者または被制御機器の数に増減があった場合などにおいては、その度ごとに前記システム管理者が前記被制御機器側の記憶部の記憶内容を変更する必要がなくなるため、システム管理者の負担を軽減することができる。
【発明の効果】
【００３０】
本発明の遠隔制御システムでは、遠隔操作手段から各被制御機器に合わせて、認識信号のみならず、モード設定信号を送信することができるため、各被制御機器の動作モードを個別に設定することができる。
【００３１】
またセキュリティ管理の低い被制御機器については、各許容者自身がモード設定信号を変更することができるため、システム管理者の負担を軽減することができる。
【発明を実施するための最良の形態】
【００３２】
図１は、本発明の実施の一形態として遠隔制御システムを構成する第１の遠隔操作手段と被制御機器側に設けられた第２の遠隔操作手段との内部構成を示すブロック図、図２は第１の遠隔操作手段と被制御機器に設けられた第２の遠隔操作手段との間の通信プロトコルを示すフローチャートである。
【００３３】
本発明の遠隔制御システムでは、複数の第１の遠隔操作手段１と、複数の被制御機器１０にそれぞれ設けられた第２の遠隔操作手段とで構成されている。前記第１の遠隔操作手段１は、この遠隔制御システムを使用して複数の被制御機器１０に対する操作が許容された許容者の携行品、例えば携帯電話機や腕時計、ＩＣカード、ボールペンなどの筆記具類、キーやキーホルダ、あるいは名札などのバッジ類の内部に組み込むことが可能となっている。
【００３４】
被制御機器１０としては、例えば電灯、エアコン、共用コンピュータ、社用自動車内の電子機器、ドア施錠装置、テレビなどオフィス用と家庭用とに区別することなく多種多様なものが考えられる。
【００３５】
図１に示すように第１の遠隔操作手段１は、アンテナ部２、送受信部３、制御部４、記憶部５、モード切換部６および表示部７などを有している。
【００３６】
前記送受信部３は、例えばブルートゥース（Bluetooth）やHomeRF（Home  Radio  Frequency）などの低出力の無線通信技術を利用したものであり、アンテナ部２を介して所定の周波数帯の電波を用いてデータの送受信を行う機能を有している。
【００３７】
前記記憶部５には、個々の許容者に与えられているユーザ識別コード（ユーザＩＤ）やモード設定コードなどが記憶されている。前記モード設定コードとしては、例えばその許容者が遠隔操作をすることが許された被制御機器１０を立ち上げるための信号や、動作中の被制御機器を停止させるための信号、あるいは被制御機器１０を所定の動作モードに設定するための信号などである。
【００３８】
例えば、４種類の被制御機器Ａ、Ｂ、Ｃ，Ｄに対し、３人の許容者甲，乙，丙のそれぞれが第１の遠隔操作手段１を有しているとする。被制御機器Ａ、Ｂに対しては許容者甲，乙のみの遠隔操作が許容され、被制御機器Ｃ、Ｄに対しては許容者乙，丙のみが遠隔操作が許容されているなどの場合ように、個々の第１の遠隔操作手段1の記憶部５には、許容者ごとに異なるユーザ識別コードとモード設定コードとが記憶されている。
【００３９】
前記表示部７は、例えばＳＴＮ（Super  Twisted  Nematic）やＴＦＴ（Thin  Film  Transistor）などの液晶ディスプレイ、あるいは有機ＥＬディスプレイなどで構成されている。
【００４０】
前記モード切換部６は、例えばロータリー式の切り換えスイッチで構成されており、前記表示部７に表示されたメニューの選択や決定などを操作することができるようになっており、前記操作を行うことにより記憶部５の内容の一部を変更することが可能となっている。
【００４１】
制御部４は主としてＣＰＵなどで構成されており、第１の遠隔操作手段１内の各部門（前記送受信部３、記憶部５および表示部７など）の制御、被制御機器１０側の前記第２の遠隔操作手段１１との間の通信プロトコルの確立およびその制御などを行う機能を有している。
【００４２】
一方、被制御機器１０の第２の遠隔操作手段１１は、アンテナ部１２、送受信部１３、制御部１４、記憶部１５、電界強度測定部１６、テーブル１７およびアクチュエータ１８などを有している。
【００４３】
前記アンテナ部１２および送受信部１３は前記第１の遠隔操作手段１の場合とほぼ同様の構成である。
【００４４】
電界強度測定部１６は、例えばスーパーヘテロダイン方式の受信機能を有しており、アンテナ部１２の周囲の電界強度を前記アンテナ部１２に誘起した高周波電圧として測定する機能を有している。またテーブル１７はＲＯＭなどのメモリ手段で構成されており、電波発信源である第１の遠隔操作手段１から被制御機器１０までの距離と、前記距離に応じて変化する電界強度との対応関係が記憶されている。
【００４５】
前記記憶部１５には、被制御機器１０自身を特定する機種識別コード、このシステムを利用することが許された許容者のすべてのユーザ識別コードなどが保持されている。
【００４６】
前記制御部１４は、被制御機器１０内、特に第２の遠隔操作手段１１内の制御を行うものであり、例えば第２の遠隔操作手段１１と第１の遠隔操作手段１との間の通信プロトコルの制御、および被制御機器１０のモード設定を実際に操作するアクチュエータ１８の制御など各種の制御を行っている。
【００４７】
上記遠隔操作システムにおける動作、すなわち前記第１の遠隔操作手段１を所持した許容者が、第２の遠隔操作手段１１を有する複数の被制御機器１０が設けられたスペース（個人宅の室内またはオフィスなど）に近づいた場合の動作について、図２のフローチャートを参照しつつ説明する。なお、図２では第１の遠隔操作手段における各段階の動作をステップＳＣ−（番号）とし、被制御機器側の第２の遠隔操作手段における各段階の動作をステップＳＭ−（番号）としている。
【００４８】
図２に示すように、被制御機器１０の第２の遠隔操作手段１１は、スキャン開始後の時間ｔが、所定のインターバル時間Ｔ１を経過したか否かを計測しており（ステップＳＭ−１）、時間ｔがインターバル時間Ｔ１を経過すると、自己の機種（例えば、被制御機器が電灯であること、またはエアコンであることなど）を特定する機種識別コードを信号化した機種識別信号Ｓｍを前記送受信部１３およびアンテナ部１２を介して外部に送出する（ステップＳＭ−２）。すなわち、第２の遠隔操作手段１１は、機種識別信号Ｓｍを所定の周期（１／Ｔ１）ごとに送信している。
【００４９】
一方、第１の遠隔操作手段１では、前記送受信部１３を介して受信される信号を所定の周期で監視している（ステップＳＣ−１）。そして、制御部１４が、前記受信された機種識別信号Ｓｍと前記記憶部１５に登録されている複数の機種識別コードとを比較し（ステップＳＣ−２）、登録されている機種識別コードの中に一致するものがあれば、その許容者のユーザ識別コードを信号化したユーザ識別信号Ｓｕを前記被制御機器１０に向けて送信する。この結果、第１の遠隔操作手段１は被制御機器１０の機種を認識することができる。また一致するものが見つからない場合には、前記ユーザ識別信号Ｓｕを送信せず、次に受信される機種識別信号Ｓｍの入力を待つ（ステップＳＣ−３）。
【００５０】
前記被制御機器１０は、機種識別信号Ｓｍの送信後に第１の遠隔操作手段１からユーザ識別信号Ｓｕが送信されたか否かを監視しており（ステップＳＭ−３）、ユーザ識別信号Ｓｕが受信されない場合には前記ステップＳＭ−１に戻る。
【００５１】
また前記ステップＳＭ−３においてユーザ識別信号Ｓｕが受信されたと判断した場合には、制御部４が、前記受信したユーザ識別信号Ｓｕと前記記憶部５に登録されている複数のユーザ識別コードとを比較し（ステップＳＭ−４）、一致するものがない場合には登録されていない非許容者と判断し、前記ステップＳＭ−１に戻る。よって、許容者以外の者により各機種が動作させられることを防止できる。
【００５２】
一方、制御部４は前記ステップＳＭ−４において登録されているユーザ識別コードの中に受信されたユーザ識別信号Ｓｕと一致するものがあれば許容者と判断し、認証完了通知信号Ｓａを前記第１の遠隔操作手段１に向けて送信する（ステップＳＭ−５）。この結果、被制御機器１０では、これ以降に前記第１の遠隔操作手段１から送信されるモード設定信号を受け付けるようになる。
【００５３】
第１の遠隔操作手段１は、認証完了通知信号Ｓａを受信できなかった場合にはステップＳＣ−１に戻り、認証完了通知信号Ｓａを受信した場合にはステップＳＣ−５に進む。
【００５４】
前記ステップＳＣ−２において被制御機器１０の機種を知った前記第１の遠隔操作手段１は、記憶部１５内に保持されている複数のモード設定コードの中から前記機種に対応する被制御機器１０のモード設定コードを呼び出し、これを前記被制御機器１０に対して第１のモード設定信号Ｓ１として送信する（ステップＳＣ−５）。
【００５５】
このとき、前記被制御機器１０が例えばエアコン機器である場合には、前記第１のモード設定信号Ｓ１の内容は電源投入と、暖房や冷房および設定温度などである。被制御機器１０側では、前記第１のモード設定信号Ｓ１を受信すると、制御部１４が第１のモード処理を開始する（ステップＳＭ−６）。この場合の第１のモード処理としては、前記アクチュエータ１８を介してエアコン機器に電源を投入するとともに、許容者が希望する所定の動作モード、例えば暖房又は冷房の設定や温度設定などが行われる。
【００５６】
また第１のモード設定信号Ｓ１の送信後に、一定時間おいて第２のモード設定信号Ｓ２を送信するようにしてもよい。すなわち、第１のモード設定信号Ｓ１においてエアコン機器に電源を投入し、しばらく経った後に第２のモード設定信号Ｓ２を送信して、第２のモード処理（ステップＳＭ−７）を開始して前記所定の動作モードを設定するようにしてもよい。このようにすると、特に立ち上がるまでに一定のウォームアップ時間が必要なエアコン機器などの場合に有効である。
【００５７】
また第２のモード設定信号Ｓ２を用いて、温度データなどを検出して表示させるようにしてもよい。例えば、被制御機器１０であるエアコン機器内にセンサ部２０として温度センサを設けておき、第２のモード設定信号Ｓ２に基づいて温度センサが検出した温度データを前記被制御機器１０から第１の遠隔操作手段１に送信させ、許容者が所持する第１の遠隔操作手段１の表示部７に表示させるようにすることにより、許容者が前記被制御機器１０に設けられた一定のスペースに入っただけで、その周囲の温度を自動的に知ることができる。この場合の第２のモード設定信号Ｓ２は送信要求信号として機能している。
【００５８】
また、例えば被制御機器１０に故障が生じた場合には、その事実や内容を表示部７に自動的に表示させるようにすれば、許容者は故障が生じた事実を把握することができ、即座にその対策をとることが可能となる。
【００５９】
また前記被制御機器１０が例えばコンピュータである場合には、コンピュータが立ち上がるまでには通常１〜２分程度のウォームアップ時間を必要とする。よって、ステップＳＣ−５において前記第１のモード設定信号Ｓ１の内容を電源投入として、第１のモード処理ではコンピュータを立ち上げるようにすることが好ましい。そして、第1の遠隔操作手段１は、ステップＳＣ−６において記憶部１５内に許容者が希望するその他のモード設定コードが存在するか否かを調査し、存在する場合にはウォームアップ時間に相当する一定時間待機し（ステップＳＣ−７）、前記一定時間経過後に前記その他のモード設定コードに相当する第２のモード設定信号Ｓ２を被制御機器１０に向けて送信する（ステップＳＣ−８）。このとき、前記第２のモード設定信号Ｓ２としては、例えばワープロソフトや表計算ソフトなど、アプリケーションソフトウェア立上げ信号などが考えられる。
【００６０】
被制御機器１０であるコンピュータが前記第２のモード設定信号Ｓ２である前記アプリケーションソフトウェア立上げ信号を受信すると、制御部１４は第２のモード処理としてコンピュータ内に格納されているワープロソフトや表計算ソフトなどのアプリケーションソフトウェアを起動し、各許容者が希望する使用環境に設定する。
【００６１】
さらにその他のモード設定コードに相当する第３、第４・・・のモード設定コードが存在する場合には、上記同様に第３、第４・・・のモード設定信号が被制御機器１０であるコンピュータ側に送信され、コンピュータではこれらのモード設定信号に基づいた第３、第４・・・のモード処理が行われる。例えば、キーボードの入力モードの設定を「かな文字入力」と「ローマ字入力」のいずれにするか、全角入力と半角入力のいずれにするか、ツールバーの設定表示をどのようにするか、など詳細な設定も可能である。よって、共用コンピュータなどにおいても個々の許容者の希望に沿った動作モードを、前記許容者が前記スペース内に進入しただけで自動的に設定することが可能となる。
【００６２】
またメールソフトを立ち上げ、プロバイダーを介してメールを受信し、受信したメールの内容を個々の許容者の前記第１の遠隔操作手段１に送信し、前記表示部７で表示させるようにしてもよい。特に、１台で複数の許容者のメールの送受信が行われる共用コンピュータでは、受信したメールの内容を各許容者の第１の遠隔操作手段１に対して前記送受信部を用いてそれぞれ送信するようにすれば、各許容者は表示部７を用いて自己に送信されたメールを見ることが可能となる。
【００６３】
このようにして、記憶部５内に保持されているモード設定コードに対応する各種のモード処理が終了すると、被制御機器１０はステップＳＭ−１に戻り、第1の遠隔操作手段１もステップＳＣ−１に戻り、第1の遠隔操作手段１は機種識別信号の新たな受信に対して待機する。
【００６４】
また前記被制御機器１０におけるステップＳＭ−３とステップＳＭ−４との間で、ユーザ識別信号Ｓｕの電界強度を検出するようにすると、本発明の遠隔制御システムが有する機能の幅を広げることが可能となる。
【００６５】
例えば、受信したユーザ識別信号Ｓｕの電界強度が一定の電界レベル未満である場合には、認証完了通知信号Ｓａの送信を行わず、ステップＳＭ−１に戻るようにする。このようにすると、ユーザ識別信号Ｓｕの電界強度がある一定の電界レベル以上を有しないと、すなわち第１の遠隔操作手段１を有する許容者が被制御機器１０から所定の範囲（距離）内に存在する場合（許容者が近くにいる場合）に限り前記第１の遠隔操作手段１と被制御機器１０との間の通信が確保され、第１，第２のモード設定信号Ｓ１，Ｓ２の送信や第１，第２のモード処理が行われるようになる。そして、前記第１の遠隔操作手段１を有する許容者が被制御機器１０から遠くに離れた場合には、ユーザ識別信号Ｓｕの電界強度が一定の電界レベル未満となるため、前記第１の遠隔操作手段１と被制御機器１０との間の通信が行われないようにすることができる。
【００６６】
よって、例えば被制御機器１０がドア施錠装置である場合には、許容者が被制御機器１０であるドア施錠装置に接近すると自動的に開錠動作が行われ、許容者が施錠装置から離れると自動的に施錠動作が行われるように設定することが可能となる。よって、例えば外出時における錠の閉め忘れなどを防止することが可能となる。特に、両手に荷物を持った状態でドアの開閉を行わなければならない場合などにおいては、許容者の負担を軽減することが可能となる。
【００６７】
またこの場合、被制御機器１０内のテーブル１７に、あらかじめ前記第１の遠隔操作手段１と被制御機器１０との間の距離と、前記第１の遠隔操作手段１から送信される信号の電界強度との対応関係を記憶させておくことが好ましい。
【００６８】
このようなテーブル１７を有すると、前記電界強度測定部１６が測定した電界強度から前記第１の遠隔操作手段１と被制御機器１０との間の距離を自動的に割り出すことが可能となる。よって、許容者が電界強度と距離の関係を知らなくとも、認証する距離を設定することが可能となる。
【００６９】
なお、前記テーブル１７は必須の構成ではなく、例えばテーブル１７の代わりに関数演算部を設け、前記関数演算部において随時演算される構成であってもよい。
【００７０】
また前記被制御機器１０にタイマー１９が設けられており、前記タイマー１９が予め設定された時刻になると被制御機器１０が動作を開始する構成としたものが好ましい。
【００７１】
例えば、被制御機器が個人の家に置かれたテレビである場合において、このテレビにタイマーが設けられており、午後８時になったらテレビ（被制御機器）の電源が自動的にオンとなり、所定のチャンネルのテレビ番組が始まるように前記タイマーが設定されているとする。
【００７２】
このとき、被制御機器１０であるテレビ内に設けられた第２の遠隔操作手段１１に対し、所定の時刻に至った場合には特定の許容者（例えば、母親）が有する第１の遠隔操作手段１との間でのみ通信が確保されるようにタイマー受信登録をしておく。その結果、テレビが設けられた部屋に前記タイマー受信登録をした許容者（母親）が在室している場合に限り、午後８時になると自動的にテレビが動作して所定のテレビ番組が映し出されるようになり、前記タイマー受信登録をした許容者以外の者（例えば、子供、父親など）だけが在室しているだけでは、午後８時になってもテレビは動作せず所定のテレビ番組は始まらないように設定することができる。
【００７３】
すなわち、被制御機器１０は、その近くにタイマー受信登録をした許容者が存在し且つ所定の時刻に至った場合に限り動作し、所定の時刻に至った場合でもタイマー受信登録をした許容者が近くに居ない場合には動作することがないように設定できる。その結果、タイマー受信登録をした許容者はテレビ番組を見逃すことなく確実に視聴できるようになるとともに、タイマー受信登録をした後に急な用事で出掛けたような場合には所定の時刻に至った場合にも動作することがないため電気の無駄な使用を回避（節電効果）することが可能となる。
【００７４】
なお、この場合における前記タイマー受信許容者の第１の遠隔操作手段１１と被制御機器１０側の第２の遠隔操作手段１１との間の通信の確保は、例えば前記ステップＳＭ−４においてユーザ識別信号Ｓｕを確認する際に、同時にタイマー受信登録をした許容者であるか否かを確認するようにすることにより行うことが可能である。
【００７５】
また上記遠隔操作システムでは、被制御機器１０のモード設定が行われた後においても許容者が前記スペース内に留まっている間は前記第１の遠隔操作手段１と被制御機器１０との間における機種識別信号の送信とユーザ識別信号の送信とが続けられることが好ましい。このようにすると、例えば許容者が前記スペースの外へ退出した場合には、前記第１の遠隔操作手段１と被制御機器１０との通信が切断されるため、被制御機器１０側の制御部１４は許容者が前記スペースの外へ退出したことを検知することが可能となる。よって、この場合には例えば動作集のコンピュータ、テレビ、エアコン機器をＯＦＦ状態に設定することが可能となる。よって、コンピュータ、テレビ、エアコン機器などの消し忘れなどを防止することができる。
【００７６】
ただし、このままの状態で許容者が前記スペース内に留まっている間も前記機種識別信号の送信とユーザ識別信号の送信とが続くようにすると、第１の遠隔操作手段１から被制御機器に向けてモード設定信号が送信され、被制御機器１０のモード処理が繰り返されるようになるため好ましいものとはいえない。
【００７７】
そこで、被制御装置のモード設定が一度行われた以降は、第１の遠隔操作手段１はモード設定信号Ｓ１，Ｓ２等の送信しないようにし、または被制御機器１０がモード設定信号Ｓ１，Ｓ２等の受付を拒否するようにすれば、被制御機器１０におけるモード処理の繰り返しを防止することができる。
【００７８】
また本願発明の遠隔制御システムは、複数の第１の遠隔操作手段１と複数の被制御機器１０との間で無線通信を介して遠隔制御が行われることを前提としているものであるが、上記のように設定すると、例えば先に前記スペース内に侵入した許容者によって各被制御機器１０の動作モードが設定された後に、新たな許容者が同じスペース内に進入した場合でも前記各被制御機器１０の動作モードが新たな許容者のモード設定信号によって変更させられてしまうことを防止することができる。よって、例えば起動中コンピュータの設定や動作中のエアコン機器の温度が急に変更されてしまうといった不具合の発生を防止することができる。すなわち、複数の第１の遠隔操作手段１によるモード設定信号Ｓ１，Ｓ２等が錯綜して送信されることによる各被制御機器１０の誤動作を防止することができる。
【００７９】
ただし、エアコン機器の温度設定のような場合については、許容者に優先順位を設定しておくことにより、前記優先順位ごとに温度が設定されるものであってもよい。
【００８０】
ところで、各被制御機器１０に対する第１の遠隔操作手段１からのモード設定信号Ｓ１，Ｓ２等は、前記許容者が各被制御機器１０に接近した順番で送信される。よって、前記スペースの入口から中央に進むにしたがって、例えば最初にドアが開錠され、次に室内の電灯が点灯し、さらにエアコン機器が動作し、最後にコンピュータが起動し始めるというように、各機種を次から次へと動作するように設定できる。すなわち、スペース内に被制御機器１０が複数設けられている場合には、第１の遠隔操作手段１は各被制御機器１０に対し時間をずらして順番にモード設定信号Ｓ１，Ｓ２等を送信する。
【００８１】
また許容者が前記スペース内から退出すると、各被制御機器１０と第１の遠隔操作手段１との間の通信が順番に途切れていくこととなる。よって、スペースの中央から出口に進むにしたがって、例えばコンピュータ、エアコン機器が停止し、次に電灯が消灯し、最後にドアが施錠されるような設定とすることも可能である。
【００８２】
許容者が表示部７のメニュー欄をみながら前記モード切換部６を操作することにより、前記記憶部５に記憶されているモード設定コードを変更することが可能となっている。そして、前記モード設定コードを変更すると、例えば被制御機器１０が遠隔操作システムにおいて自動的に動作するように設定したり、あるいは動作しないように設定したりでき、あるいは新たに被制御機器が追加された場合には、その新たな機種識別コードやモード設定コードを追加して記憶させることが可能となっている。
【００８３】
よって、例えば、スペース内のコンピュータとエアコン機器が設けられている場合において自動的に動作する通常の状態に設定しておくと、許容者が前記スペース内に進入したときに前記コンピュータとエアコン機器とが動作する環境に設定することができる。また例えば気候が穏やかな季節などエアコン機器を動作させる必要がない場合などにおいては、エアコン機器が動作しないように設定しておくと、許容者が前記スペース内に進入したときにはコンピュータのみが動作する環境に設定することが可能となる。
【００８４】
ただし、モード設定コードの変更が可能な機種は、例えばエアコン機器やテレビなどセキュリティ管理の低い被制御機器１０であることが好ましい。特に、ドア施錠装置や社用のコンピュータなどのモード設定コードの変更が制限なしに認められると泥棒や情報の漏洩などの危険性を伴う。よって、このようなセキュリティの高い被制御機器１０については、モード設定コードの変更ができないようにすることが好ましい。
【００８５】
前記被制御機器１０の種類によっては、第２の遠隔操作手段１１がＵＳＢ（Universal Serial Bus）インタフェースを介して外部のＰＣ（コンピュータ）２１などと接続できるようにした構成であってよい。
【００８６】
上記実施の形態で説明した遠隔制御システムは、主として個人の家またはオフィスを想定して説明をしたが、本発明はこれに限られるものではなく例えば１台の車を複数の者が使用する家庭用自動車または社用自動車に適用することも可能である。例えば、第１の遠隔操作手段１を所持した許容者が自動車に近づくと、ドアのロックが自動的に解除され、シート位置やミラー位置が自動的に適正な位置に設定され、またナビゲーションシステムが自動的に起動され、さらにはラジオが好みの放送局の周波数に自動的にチューニングされるようにすることが可能である。よって、異なる許容者が自動者に乗車するたびに各モードの設定を各個人が好みに合わせて設定する手間を省くことができる。
【００８７】
なお、上記実施の形態では、電界強度測定部１６とテーブル１７は被制御機器１０側に設けた構成として説明したが、第１の遠隔操作手段１に設けた構成としたものであってもよい。ただし、上記のように被制御機器１０側に設けた場合には、第１の遠隔操作手段１を小型且つ軽量化することができる点で好ましい。
【図面の簡単な説明】
【００８８】
【図１】本発明の遠隔制御システムを構成する遠隔操作手段と被制御機器との内部構成を示すブロック図、
【図２】第１の遠隔操作手段と被制御機器との間の通信プロトコルを示すフローチャート、
【符号の説明】
【００８９】
１  第１の遠隔操作手段
２，１２  アンテナ部
３，１３  送受信部
４，１４  制御部
５，１５  記憶部
６  モード切換部
７  表示部
１０  被制御機器
１１  第２の遠隔操作手段
１６  電界強度測定部
１７  テーブル
１８  アクチュエータ
１９  タイマー
２０  センサ部
２１  ＰＣ（コンピュータ）
Ｓm  機種識別信号
Ｓu  ユーザ識別信号
Ｓａ  認証完了通知信号
Ｓ１，Ｓ２  モード設定信号
【図１】
2005184388.tif 000003
【図２】
2005184388.tif 000004